(57)【特許請求の範囲】
【請求項１】
内部で循環使用される玉をパチンコ機に補給する補給樋と、該補給樋の任意の位置で該補給樋を流下する玉を分離する玉分離器と、該玉分離器が設けられた島台と隣接する他島内との間に架設されたアーチ状移送通路と、該アーチ状移送通路を介して隣接する島台間で玉を移送駆動する移送駆動装置と、からなるパチンコ島台間のアーチ状玉移送装置において、
前記アーチ状移送通路の始端部と前記移送駆動装置との間には、連結装置を設け、
該連結装置は、前記移送駆動装置によって垂直状に揚送される玉を前記アーチ状移送通路方向に向けて送る通路が形成される屈曲通路体と、該屈曲通路体が固着され且つ連結装置全体をパチンコ島台を構成する桟部材に固定する支持台と、から構成され、
隣接するパチンコ島台の間隔に応じて、少なくとも前記支持台の高さ寸法の異なる連結装置をパチンコ島台の桟部材に固定して前記アーチ状移送通路を前記屈曲通路体の上端に接続したことを特徴とするパチンコ島台間のアーチ状玉移送装置。
【請求項２】
前記連結装置を構成する屈曲通路体及び支持台を合成樹脂で構成すると共に、屈曲通路体の前記アーチ状移送通路との接続上部又は前記移送駆動装置との接続下部のいずれかに移送される玉を検出する玉検知センサを装着したことを特徴とする請求項１記載のパチンコ島台間のアーチ状玉移送装置。
【発明の詳細な説明】
【０００１】
【産業上の利用分野】
本発明は、内部で循環使用される玉をパチンコ機に補給する補給樋と、該補給樋の任意の位置で該補給樋を流下する玉を分離する玉分離器と、該玉分離器が設けられた島台と隣接する他島内との間に架設されたアーチ状移送通路と、該アーチ状移送通路を介して隣接する島台間で玉を移送駆動する移送駆動装置と、からなるパチンコ島台間のアーチ状玉移送装置に関するものである。
【０００２】
【従来の技術】
従来より、パチンコ島台の内部には、玉自動循環機構として搬送ベルトを有する玉揚送装置が装備されていた。これにより、パチンコ島台の各パチンコ機から回収された使用済玉は、玉揚送装置の搬送ベルトによって研磨されながら上部貯留タンクに揚送され、この上部貯留タンクから補給樋を介して再度各パチンコ機に供給されていた。即ち、パチンコ島台内の遊技玉は、玉自動循環機構によって循環使用されていた。また、このようなパチンコ島台には、遊技客が獲得した景品玉を返却したときに、その返却玉数を数値記録したレシートを発行する玉返却装置が設けられたものがあった。このため、玉返却装置からの景品玉の投入に伴い玉量が増加する場合には、列設された各パチンコ島台間に架設された移送通路を介して余剰の玉を隣接するパチンコ島台に搬送することで、各パチンコ島台間の貯留玉量の均等化を図っていた。
【０００３】
しかしながら、上記従来のような各パチンコ島台間に架設された移送通路は、列設されたパチンコ島台のほぼ中央であって玉揚送装置の上端部に設けられる各上部貯留タンク間に架設され、上部貯留タンク内で玉が余剰に貯留されたときに、その余剰玉を自然流下する構成であった。このため、移送通路の架設位置は、その高さ位置も含めて上部貯留タンクの配設位置によって必然的に決まってしまうため、防犯カメラの設置等を含む遊技場全体としての設計自由度が限定されていた。また、上記のような移送通路での自然流下により余剰玉を搬送する構成では、各パチンコ島台内で循環使用される玉量を効率的に管理することができなかった。このような欠点を解消するために、本出願人は、先に特願平６−３０９５１５号（以下、先行技術という）で、循環使用される玉量を効率的に管理することができるパチンコ島台間の玉移送制御装置を提案した。
【０００４】
【発明が解決しようとする課題】
上記した先行技術においては、パチンコ島台間に架設される移送通路が、その移送動作をスムーズならしめるため、円弧状のアーチ型となっていたが、このようなアーチ型とした場合に、パチンコ島台間の間隔が相違する毎に同じ曲率のアーチ状通路を使用する限り、アーチ状移送通路の高さが凸凹して統一化できず、遊技場の美観を損なうということがわかった。本発明は、上記した事情に鑑みなされたもので、その目的とするところは、間隔の相違するパチンコ島台間に同一曲率のアーチ状移送通路を使用してもその架設高さをほぼ同じとすることができるパチンコ島台間のアーチ状玉移送装置を提供することにある。
【０００５】
【課題を解決するための手段】
上記した目的を達成するために、本発明においては、
内部で循環使用される玉をパチンコ機に補給する補給樋と、該補給樋の任意の位置で該補給樋を流下する玉を分離する玉分離器と、該玉分離器が設けられた島台と隣接する他島内との間に架設されたアーチ状移送通路と、該アーチ状移送通路を介して隣接する島台間で玉を移送駆動する移送駆動装置と、からなるパチンコ島台間のアーチ状玉移送装置において、
前記アーチ状移送通路の始端部と前記移送駆動装置との間には、連結装置を設け、
該連結装置は、前記移送駆動装置によって垂直状に揚送される玉を前記アーチ状移送通路方向に向けて送る通路が形成される屈曲通路体と、該屈曲通路体が固着され且つ連結装置全体をパチンコ島台を構成する桟部材に固定する支持台と、から構成され、
隣接するパチンコ島台の間隔に応じて、少なくとも前記支持台の高さ寸法の異なる連結装置をパチンコ島台の桟部材に固定して前記アーチ状移送通路を前記屈曲通路体の上端に接続したことを特徴とするものである。
【０００６】
【作用】
隣接するパチンコ島台同士の間隔が等しい場合には、連結装置を構成する支持台の高さ寸法が同一のものを使用すれば、アーチ状移送通路の架設高さは、等しくなる。しかし、パチンコ島台同士の間隔が相違する場合には、同一曲率のアーチ状移送通路を短く切断して接続するので、支持台の高さ寸法が同一のものを使用すれば、パチンコ島台同士の間隔が短くなればなるほど架設高さが低くなる。そこで、本発明のように、隣接するパチンコ島台の間隔に応じて、少なくとも支持台の高さ寸法の異なる連結装置をパチンコ島台の桟部材に固定してアーチ状移送通路を屈曲通路体の上端に接続することにより、パチンコ島台同士の間隔が短くなってアーチ状移送通路の架設高さが低くなるような場合に、支持台の高さ寸法が高いものを使用して、パチンコ島台同士の間隔が相違してもアーチ状移送通路の架設高さをほぼ統一化することができる。
【０００７】
【実施例】
以下、図面を参照して本発明の一実施例を説明する。図１は、複数のパチンコ島台１同志の関係を示す概略断面図である。図において、パチンコ島台１は、周知のように、多数のパチンコ機２を背向列設するもので、各パチンコ機２の列設位置の上部に開閉可能な欄間３が設けられ、また、列設位置の下方にカウンター台５を介して腰板４が設けられている。また、各パチンコ島台１の内部には、周知のようにその中央に玉揚送手段としての玉揚送装置（図示しない）が立設されており、該玉揚送装置によって揚送された玉がパチンコ島台１の両端部に向かって下方傾斜した左右の各補給樋６によって各パチンコ機２及び台間玉貸機（図示しない）に補給される。一方、パチンコ島台１の下方内部には、パチンコ島台１に列設される多数のパチンコ機２で使用し得るに十分な玉量（例えば、２５万個〜３０万個）を貯留する玉貯留タンク８が設けられ、該玉貯留タンク８の上部に各パチンコ機２から排出された玉を玉貯留タンク８の端部に向けて誘導する回収樋７が設けられている。この回収樋７を転動してきた玉は、すべて玉貯留タンク８に貯留され、その貯留された玉は、前記した図示しない玉揚送装置によって上部に揚送され、前記補給樋６によって再度各パチンコ機２及び台間玉貸機に補給される。なお、図１において、符号９は、パチンコ島台１の端部を装飾する島端装飾板９を表している。また、図示のパチンコ島台１のように、その内部下方に大型の玉貯留タンク８を有するものにあっては、図示しないが遊技者が獲得した景品玉を返却する玉返却装置が付設されている。また、パチンコ島台１は、後に詳述するように、木製又は金属製の横桟１Ａと縦桟１Ｂとを骨組み形成することにより構成されている（図４参照）。
【０００８】
ところで、図１に示すように、複数のパチンコ島台１間には、アーチ状移送通路５０によって接続されているが、このアーチ状接続通路５０に玉を供給するための機構である移送駆動装置１０が各パチンコ島台１の上部に設けられている。この移送駆動装置１０に図２を参照して説明する。図２は、パチンコ島台１の上部の拡大断面図である。図において、移送駆動装置１０は、前記補給樋６の任意の箇所に設けられ且つ補給樋６を流下する玉を分離する分離器１１と、該分離器１１によって分離された玉を下流側に導く蛇腹管１２と、該蛇腹管１２の一端が接続される半円管１３と、該半円管１３内の玉と当接しながら強制的に移動せしめる回転盤１４と、半円管１３の他端に接続され且つ後述する連結装置２０に接続される送給管１５と、から構成されている。
【０００９】
分離器１１は、補給樋６を流下する玉を一列に整列させながら取り込むものであり、前述したパチンコ機２や台間玉貸機に玉を取り込む分流器とほぼ同じ構造のものであり、このように既存の分流器をそのまま分離器１１として適用することで、移送駆動装置１０の製造コストの削減を招来している。また、回転盤１４は、半円形状の半円管１３の内部に玉と所定の摩擦力を有して当接するゴム製の部材であり、図示しない単相インダクションモータで回転駆動せしめられるようになっている。しかして、分離器１１で分離された玉は、蛇腹管１２を流下し、回転盤１４と玉の摩擦力とで送給管１５内を一列状に整列して揚送して次に説明する連結装置２０に供給されるものである。なお、移送駆動装置１０は、補給樋６の左右に一対設けられており、自島に対してそれぞれ左隣島，右隣島に玉を移送するようになっている。
【００１０】
次に図３乃至図７を参照して、連結装置２０の構成について説明する。図３は、連結装置２０をパチンコ島台１を構成する横桟１Ａに装着したときの状態を示す斜視図であり、図４は、連結装置２０の分解斜視図であり、図５は、高さ寸法の異なる連結装置２０，２０Ａの正面から見た斜視図であり、図６は、連結装置２０へのアーチ状移送通路５０の取付を示す斜視図であり、図７は、連結装置２０に取り付けられたアーチ状移送通路５０の下部を覆う保護樋５４の取付を示す斜視図である。図４において、連結装置２０は、前記移送駆動装置１０の送給管１５によって垂直状に揚送される玉をアーチ状移送通路５０方向に向けて送る通路３７ａ，３７ｂが形成される屈曲通路体３６と、該屈曲通路体３６が固着され且つ連結装置２０全体をパチンコ島台１を構成する横桟１Ａに固定する支持台２１と、から構成されている。
【００１１】
そこで、まず、支持台２１について説明する。図４に示すように、支持台２１は、横桟１Ａの上面に載置される水平止め板２２と、該水平止め板２２の一端からほぼ直角に曲折され且つ横桟１Ａの側面と当接する係止折曲片２３と、水平止め板２２の上方に傾斜状に立設される傾斜支持板２７と、が鉄板等によって形成されている。水平止め板２２には、その両端部に固定穴２４が穿設され、該固定穴２４にボルト２９を螺着することにより、連結装置２０全体を横桟１Ａに固定することができる。また、固定穴２４の内側には、後述するカバーケース４４を止着するためのカバー止着穴２５が穿設されている。また、係止折曲片２３の裏面には、肉厚部が形成され、該肉厚部の両端に屈曲通路体３６の下方部をボルト３３によって固定するための止着穴２６が形成されている。
【００１２】
更に、傾斜支持板２７の上部中央には、四角形状の切欠が形成され、該切欠の前方に上部を除いて受け開口部２８が突設されている。この受け開口部２８は、アーチ状移送通路５０を接続する部分である。また、受け開口部２８の切欠の左右上部には、屈曲通路体３６の上方部をボルト３３によって固定するための止着穴３０が穿設され、受け開口部２８の左右突出片部には、アーチ状移送通路５０の保護樋５４をボルト３４によって止着するための止め穴３１が穿設され、受け開口部２８の下部突出片部には、アーチ状移送通路５０を構成する一対の移送管５１ａ，５１ｂの端部をボルト３５によって固定するための止め穴３２が穿設されている。
【００１３】
一方、屈曲通路体３６は、一対の正方形状の通路３７ａ，３７ｂが一体的に合成樹脂によって形成されると共に、その前面上下にもそれぞれ取付穴３９，４１を有する取付片３８，４０も一体的に形成されている。通路３７ａ，３７ｂは、下方が垂直状となっており、上部よりやや下方で円弧状に曲げられてその上端開口が斜めを向いてアーチ状移送通路５０の移送管５１ａ，５１ｂに接続されるようになっている。このように通路３７ａ，３７ｂを上部で円弧状に屈曲させることにより、玉を最少の力でスムーズにアーチ状移送通路５０の移送管５１ｂ（図示の場合には、移送管５１ａは、隣接島から送られてきた玉が移送されるものである）に移送される。
【００１４】
また、通路３７ａ，３７ｂの下部開口には、一方に移送駆動装置１０の前記送給管１５が接続され、他方に受給蛇腹管４３が接続固着される。受給蛇腹管４３は、その下端が前記玉貯留タンク８に臨むようになっている。そして、図示の実施例では、受給蛇腹管４３が接続される側の通路３７ａに玉の移動を検出する玉検知センサ４２が取り付けられている。玉検知センサ４２を受給蛇腹管４３の接続部分近傍に取り付けた理由は、第１に玉が移送される過程で送給管１５，受給蛇腹管４３、移送管５１ａ，５１ｂ等がほとんど金属製であるのに対し、屈曲通路体３６が合成樹脂によって形成されているので、鋼製のパチンコ玉の検出に対する誤動作を少なくするためであり、第２に玉詰まり等のトラブルが最も生じ易い管との接続部にセンサを配置することにより、それらのトラブルの発生を迅速に発見し且つ保守点検を容易に行うためである。更に、取付片３８，４０は、支持台２１の前記止着穴３０，２６に対応するものであり、取付片３８，４０の取付穴３９，４１を止着穴３０，２６に対応させた状態でボルト３３を螺着することにより、屈曲通路体３６が支持台２１に固着される。
【００１５】
上記のように構成される連結装置２０は、まず、図４に示すように、屈曲通路体３６の上部取付片３８及び下部取付片４０の取付穴３９，４１を支持台２１の止着穴３０，２６にそれぞれ対応させてボルト３３を螺着して連結装置２０を組み立て、その組み立てた連結装置２０をパチンコ島台１を構成する上部の横桟１Ａに取り付けるに当って、係止折曲片２３を横桟１Ａの側面に当接した状態で水平止め板２２を横桟１Ａの上面に載置する。その状態で固定穴２４にボルト２９を螺着して連結装置２０を横桟１Ａに固定する。横桟１Ａに固定された連結装置２０に対しては、屈曲通路体３６の一方の通路３７ｂに移送駆動装置１０の送給管１５を連結し、他方の通路３７ａに受給蛇腹管４３を接続する。その後、受け開口部２８にアーチ状移送通路５０を接続することになるが、ここで、アーチ状移送通路５０の構成について、図１、図６を参照して説明する。
【００１６】
アーチ状移送通路５０は、図１に示すように隣接するパチンコ島台１間の上部に円弧状のアーチ形状で差し渡される通路であって、その両端部を前記連結装置２０に接続するようになっている。即ち、アーチ状移送通路５０は、同一長さの一対の円弧状の移送管５１ａ，５１ｂによって構成され、図６に示すように、この一対の移送管５１ａ，５１ｂを適宜間隔離した状態で上下から一対の挟持板５２で挟持し、挟持板５２の中央に形成された止め穴５２ａにボルト５３を螺着することにより、一対の移送管５１ａ，５１ｂを一体化する。また、挟持板５２は、適宜間隔をおいて複数設けられるものである。なお、一対の移送管５１ａ，５１ｂは、当然のことながら一方が自島から隣接島への玉の移送を行うものであり、他方が隣接島から自島への玉の移送を行うものである。
【００１７】
上記のように一体化された移送管５１ａ，５１ｂを前記連結装置２０に接続するためには、図６に示すように、移送管５１ａ，５１ｂの端部を受け開口部２８に載置すると共に通路３７ａ，３７ｂに移送管５１ａ，５１ｂを接続し、その状態で１枚の挟持板５２を上方から移送管５１ａ，５１ｂの端部に載置し、ボルト３５によって挟持板５２の止め穴５２ａ及び受け開口部２８の下部の止め穴３２を螺着することにより、固定する。これにより、一体化された一対の移送管５１ａ，５１ｂが連結装置２０に連結固定された状態となる。その状態で、図７に示すように、断面コ字状であって長手方向に移送管５１ａ，５１ｂの曲率に合致する円弧を有する保護樋５４の端部を受け開口部２８の前方突出部の内側に挿入する。このとき、保護樋５４の端部に穿設される止め穴５５と受け開口部２８の左右に形成される止め穴３１とが合致するので、その合致した止め穴３１，５５にボルト３４を螺着することにより、保護樋５４を取り付けることができる。このように移送管５１ａ，５１ｂを保護樋５４で被覆することにより、アーチ状移送通路５０の美観を向上せしめることができる。また、最終的には、図３に示すように、アーチ状移送通路５０を連結装置２０に接続した後に、左右に配置される連結装置２０部分をカバーケース４４によって被覆する。
【００１８】
ところで、複数のパチンコ島台１間の上部に差し渡されるアーチ状移送通路５０においては、図８に示すように、すべてのパチンコ島台１間の間隔Ｌ１が等しい場合には、同一の連結装置２０を使用している限り、アーチ状移送通路５０の架設高さもほぼ同じとなり、遊技場内における美観上何ら問題もないが、遊技場の中には、すべてのパチンコ島台１間の間隔が等しいものとは限らず、例えば、図９に示すように、間隔Ｌ１より短い間隔Ｌ２を有するパチンコ島台１間に同一高さの連結装置２０を使用した場合のアーチ状移送通路５０の架設高さは、間隔Ｌ１を有するパチンコ島台１間の架設高さよりもＬ３だけ低くなってしまい、遊技場内における美観を損なうこととなる。
【００１９】
そこで、このようなパチンコ島台１間の間隔が短い場合には、図５に示すように、高さ寸法が高い連結装置２０Ａを使用することにより、図１０に示すように、標準的な島台間隔Ｌ１を有する場合の架設高さとほぼ同じとすることができる。連結装置２０における高さは、標準的なものをＨ１とした場合、それよりも高い寸法Ｈ２の連結装置２０においては、傾斜支持板２７Ａの下方部を垂直状に延設した延長部４５を有する構造のものとすれば良い。この場合には、標準的な連結装置２０に使用する屈曲通路体３６でも使用し得るし、あるいは傾斜支持板２７Ａに合わせて屈曲通路体３６の垂直部を長く設計した屈曲通路体を装着しても良い。更に、現状において、島台間隔の最低限は、両サイドに遊技客が座った状態で一人の遊技客が通れる間隔が必要であるのでり、また、島台間隔の最高も両サイド遊技客が座った状態で遊技客がすれ違いことができる間隔があれば良い。したがって、用意すべき連結装置２０の高さ寸法は、上記した最低間隔、最高間隔、及びその中間の間隔に対応する高さ寸法を有する３種類の連結装置を用意すれば、多くの場合、対応することができる。
【００２０】
以上、実施例に係るアーチ状玉移送装置の構成及び作用について説明してきたが、本実施例によれば、隣接するパチンコ島台１の間隔に応じて、少なくとも支持台２１の高さ寸法の異なる連結装置２０，２０Ａをパチンコ島台１の桟部材１Ａに固定してアーチ状移送通路５０を屈曲通路体３６の上端に接続することにより、パチンコ島台１同士の間隔が短くなってアーチ状移送通路５０の架設高さが低くなるような場合に、支持台２１の高さ寸法が高いものを使用して、パチンコ島台１同士の間隔が相違してもアーチ状移送通路５０の架設高さをほぼ統一化することができる。
【００２１】
【発明の効果】
以上、説明したところから明らかなように、本発明においては、隣接するパチンコ島台の間隔に応じて、少なくとも支持台の高さ寸法の異なる連結装置をパチンコ島台の桟部材に固定してアーチ状移送通路を屈曲通路体の上端に接続することにより、パチンコ島台同士の間隔が短くなってアーチ状移送通路の架設高さが低くなるような場合に、支持台の高さ寸法が高いものを使用して、パチンコ島台同士の間隔が相違してもアーチ状移送通路の架設高さをほぼ統一化することができる。
【図面の簡単な説明】
【図１】複数のパチンコ島台同志の関係を示す概略断面図である。
【図２】パチンコ島台の上部の拡大断面図である。
【図３】連結装置をパチンコ島台を構成する横桟に装着したときの状態を示す斜視図である。
【図４】連結装置の分解斜視図である。
【図５】高さ寸法の異なる連結装置の正面から見た斜視図である。
【図６】連結装置へのアーチ状移送通路の取付を示す斜視図である。
【図７】連結装置に取り付けられたアーチ状移送通路の下部を覆う保護樋の取付を示す斜視図である。
【図８】島台間隔が等間隔である場合のアーチ状移送通路の架設高さを説明するための説明図である。
【図９】島台間隔が相違する場合のアーチ状移送通路の架設高さを説明するための説明図である。
【図１０】島台間隔が相違する場合でもアーチ状移送通路の架設高さを同一にできることを説明するための説明図である。
【符号の説明】
１  パチンコ島台
１Ａ  横桟
１Ｂ  縦桟
２  パチンコ機
６  補給樋
８  玉貯留タンク
１０  移送駆動装置
１１  分離器
１３  半円管
１４  回転盤
１５  送給管
２０，２０Ａ  連結装置
２１  支持台
２７，２７Ａ  傾斜支持板
２８  受け開口部
３６  屈曲通路体
３７ａ，３７ｂ  通路
４２  玉検知センサ
４３  受給蛇腹管
４５  延長部
５０  アーチ状移送通路
５１ａ，５１ｂ  移送管
５４  保護樋
【図１】
0003677801.tif 000002
【図２】
0003677801.tif 000003
【図３】
0003677801.tif 000004
【図４】
0003677801.tif 000005
【図５】
0003677801.tif 000006
【図６】
0003677801.tif 000007
【図７】
0003677801.tif 000008
【図８】
0003677801.tif 000009
【図９】
0003677801.tif 000010
【図１０】
0003677801.tif 000011